(57)【要約】【課題】  商品陳列棚の各段に、商品陳列棚とほぼ等しい水平方向の長さを有する薄型表示装置を設置し、任意の位置に商品名、商品価格等の商品に関する情報を表示する電子棚札システムを提供する。【解決手段】  店舗内の商品陳列棚の各段の前面に、棚幅サイズの薄型表示装置を設置する。店員が商品改廃作業を行った後、携帯端末７に陳列した商品の商品名、陳列向、陳列フェイス数、陳列した陳列棚番号、段番号、列番号と、表示しようとする棚札のタイプを入力する。無線ＬＡＮを介してこれらの情報を管理コンピュータ３に送ると、管理コンピュータ３は予め作成された棚札タイプ管理データ、商品情報管理データと表示指示データを用いて陳列情報管理データを作成し、薄型表示装置１１上に陳列した商品に対応する棚札を任意の場所に自動表示する。また、棚札を表示していない領域に販促情報、広告等の任意表示を表示することもできる。【選択図】  図１
2005099888.tif 000002
【特許請求の範囲】
【請求項１】
店舗の陳列棚に設置される表示装置と、管理コンピュータとを備えた電子棚札システムであって、
前記管理コンピュータは、
棚札の形式を示す棚札タイプ情報と、商品に関する商品情報を保持する保持手段と、
商品の陳列位置に関する情報を受信する手段と、
前記棚札タイプ情報と、前記商品情報と、受信した商品の陳列位置に関する情報を用いて、陳列商品に関する表示指示情報を作成し、この表示指示情報を前記表示装置に送信する送信手段と、
を有し、
前記表示装置は、
前記管理コンピュータから送られる前記表示指示情報を受信する手段と、
前記表示指示情報を任意の位置に表示する表示手段と、
を有することを特徴とする電子棚札システム。
【請求項２】
前記陳列商品に関する表示指示情報は、商品情報、バーコード、広告情報、履歴遡及情報、任意情報の少なくとも一つを含むことを特徴とする請求項１記載の電子棚札システム。
【請求項３】
前記保持手段に保持される前記商品情報は、ポスシステムと連動していることを特徴とする請求項１記載の電子棚札システム。
【請求項４】
前記表示装置は、ポリーマーネットワーク型液晶、マイクロカプセル電気泳動、フレキシブル有機ＥＬ(electroluminescence)等からなることを特徴とする請求項１記載の電子棚札システム。
【請求項５】
前記表示装置は、設置される陳列棚とほぼ等しい水平方向の長さを有することを特徴とする請求項１記載の電子棚札システム。
【請求項６】
前記表示装置は、単一あるいは複数の表示装置からなることを特徴とする請求項１記載の電子棚札システム。
【請求項７】
前記表示装置は、色表示機能を有することを特徴とする請求項１記載の電子棚札システム。
【請求項８】
棚札の形式を示す棚札タイプ情報と、商品に関する商品情報を保持する保持手段と、
商品の陳列位置に関する情報を受信する手段と、
前記棚札タイプ情報と、前記商品情報と、受信した商品の陳列位置に関する情報を用いて、陳列商品に関する表示指示情報を作成し、この表示指示情報を前記表示装置に送信する送信手段と、
を有することを特徴とする管理コンピュータ。
【請求項９】
前記陳列商品に関する表示指示情報は、商品情報、バーコード、広告情報、履歴遡及情報、任意情報の少なくとも一つを含むことを特徴とする請求項８記載の管理コンピュータ。
【請求項１０】
前記保持手段に保持される前記商品情報は、ポスシステムと連動していることを特徴とする請求項８記載の管理コンピュータ。
【請求項１１】
管理コンピュータから送られる表示指示情報を受信する受信手段と、前記表示指示情報を任意の位置に表示する表示手段と、
を有し、
ポリーマーネットワーク型液晶、マイクロカプセル電気泳動、フレキシブル有機ＥＬ等からなることを特徴とする表示装置。
【請求項１２】
設置される陳列棚とほぼ等しい水平方向の長さを有することを特徴とする請求項１１記載の表示装置。
【請求項１３】
単一あるいは複数の表示装置からなることを特徴とする請求項１１記載の表示装置。
【請求項１４】
色表示機能を有することを特徴とする請求項１１記載の表示装置。
【請求項１５】
コンピュータを請求項８記載の管理コンピュータとして機能させるプログラム。
【請求項１６】
コンピュータを請求項８記載の管理コンピュータとして機能させるプログラムを記録した記録媒体。
【発明の詳細な説明】
【技術分野】
【０００１】
本発明は、電子棚札システム等に関するものであり、特に、店舗等において商品陳列棚の各段に、商品陳列棚とほぼ等しい水平方向の長さを有する薄型表示器を設け、任意の位置に商品名、商品価格等の商品に関する情報を表示するための電子棚札システム等に関する。
【背景技術】
【０００２】
スーパーマーケット、コンビニエンスストア等の店舗の商品陳列棚の各段には、その棚に陳列されている商品の価格等を表示する棚札が貼付されている。棚札を付け替える労力及び時間の節約、付け替えミス防止のため、また、店のサービス情報あるいは価格情報を顧客に対して迅速に伝達するため、電子棚札システムにより、本店のホストコンピュータと各店舗の店舗サーバを接続し、ホストコンピュータから送信される商品情報をそれぞれ店舗内の陳列棚に送信し、電子的に商品の価格等を表示する方法がある。（例えば、特許文献１参照）
【０００３】
【特許文献１】特開２００２−３０４６７３号公報
【発明の開示】
【発明が解決しようとする課題】
【０００４】
しかしながら、上記の方法では液晶表示方式の電子棚札を使用しているため、文字数が多く表示できないために表示できる情報が限られる。また、一つの商品に対して一つの電子棚札を必要とするため、商品改廃で新規商品を扱う場合には電子棚札も新規に用意する必要があり、多大な労力が必要となる。さらに、商品陳列棚の棚割の変更を行った場合、商品の位置がずれるたび、それに合わせて電子棚札の位置を移動しなければならない。
【課題を解決するための手段】
【０００５】
前述した目的を達成するために第１の発明は、店舗の陳列棚に設置される表示装置と、管理コンピュータとを備えた電子棚札システムであって、前記管理コンピュータは、棚札の形式を示す棚札タイプ情報と、商品に関する商品情報を保持する保持手段と、商品の陳列位置に関する情報を受信する手段と、前記棚札タイプ情報と、前記商品情報と、受信した商品の陳列位置に関する情報を用いて、陳列商品に関する表示指示情報を作成し、この表示指示情報を前記表示装置に送信する送信手段とを有し、前記表示装置は、前記管理コンピュータから送られる前記表示指示情報を受信する手段と、前記表示指示情報を表示する表示手段とを有することを特徴とする電子棚札システムである。
【０００６】
管理コンピュータが作成する陳列商品に関する表示指示情報は、商品名、価格、規格、商品識別子等の商品情報と、バーコード、広告情報、履歴遡及情報等を含み、表示装置に電子棚札として任意の位置にこれらの情報を表示する。
バーコードは、ＪＡＮ(Japan Article Number)、ＮＷ７(Narrow Wide 7)等のような商品を識別するための商品コードや、２次元バーコード等を含む。
例えば、陳列した商品の位置に合わせて商品名、価格、規格、バーコード等を含む電子棚札を表示し、空いている領域に食品原材料の履歴遡及情報、各種販促情報や広告情報、料理のレシピや家庭の医学等の生活情報等を表示する。
【０００７】
管理コンピュータが保持する商品情報は、店舗のポスシステム等の他のシステムと連動しており、価格が変更されるとすぐに電子棚札の表示も変更される。
【０００８】
表示装置は、ポリーマーネットワーク型液晶、マイクロカプセル電気泳動、フレキシブル有機ＥＬ等からなり、紙のように薄く取り扱いが容易で、バックライト等の補助的な光源がなくても表示コントラストが高く、色表示機能を有し、バーコード、画像等の表示も可能であるという特徴を持つ。
表示装置は、設置される陳列棚とほぼ等しい水平方向の長さを有し、単一あるいは複数の表示装置から構成される。
【０００９】
商品改廃で商品の陳列を変更した場合、携帯端末から入力される商品の陳列位置に関する情報と、管理コンピュータで保持する棚札タイプ情報と商品情報を用いて、自動的に表示装置に表示する電子棚札を更新する。新規商品の場合も、自動的に電子棚札が作成、表示される。また、商品の入れ替え等により陳列商品の位置がずれた場合も、自動的に電子棚札の表示位置を変更する。
【００１０】
第２の発明は、棚札の形式を示す棚札タイプ情報と、商品に関する商品情報を保持する保持手段と、商品の陳列位置に関する情報を受信する手段と、前記棚札タイプ情報と、前記商品情報と、受信した商品の陳列位置に関する情報を用いて、陳列商品に関する表示指示情報を作成し、この表示指示情報を前記表示装置に送信する送信手段とを有することを特徴とする管理コンピュータである。
【００１１】
第３の発明は、管理コンピュータから送られる表示指示情報を受信する受信手段と、前記表示指示情報に基づいて表示を行う表示手段とを有し、ポリーマーネットワーク型液晶、マイクロカプセル電気泳動、フレキシブル有機ＥＬ等からなることを特徴とする表示装置である。
【発明の効果】
【００１２】
本発明によれば、商品陳列棚の各段に、商品陳列棚とほぼ等しい水平方向の長さを有する薄型表示装置を設置し、任意の位置に商品名、商品価格等の商品に関する情報を表示する電子棚札システムを提供することができる。
【発明を実施するための最良の形態】
【００１３】
図１は、本発明システムの実施方法を示した説明図であって、本発明に係る電子棚札システム１は、スーパーマーケット、コンビニエンスストア等の店舗に設置された管理コンピュータ３と、携帯端末７−１〜７−ｍ、店舗内の商品陳列棚に設置される薄型表示装置１１−１〜１１−ｎを有している。
【００１４】
管理コンピュータ３はアンテナ５を、携帯端末７−１〜７−ｍはそれぞれアンテナ９−１〜９−ｍを、薄型表示装置１１−１〜１１−ｎはそれぞれアンテナ１３−１〜１３−ｎを有している。管理コンピュータ３、携帯端末７−１〜７−ｍ、薄型表示装置１１−１〜１１−ｎは、それぞれアンテナ５、９−１〜９−ｍ、１３−１〜１３−ｎを介して無線ＬＡＮ(Local Area Network)に接続されており、商品に関する情報、表示に関する情報等と通信する。
【００１５】
携帯端末７は店舗の店員が携帯し、旧商品の撤去、新商品の陳列等商品改廃作業を行った後、撤去あるいは陳列した商品と位置を入力する。携帯端末７は、アンテナ９を介して撤去あるいは陳列した商品と位置に関する情報を管理コンピュータ３に送信する。
【００１６】
管理コンピュータ３は、商品の商品名、価格、規格、バーコード、商品ＩＤ等の商品に関するデータと、薄型表示装置１１に表示する電子棚札の表示形式に関するデータ、商品陳列に関するデータ等を有する。管理コンピュータ３は、アンテナ５を介して携帯端末７から撤去あるいは陳列した商品と位置を受信し、薄型表示装置１１に対する電子棚札の表示指示データを作成し、薄型表示装置１１に送信する。
【００１７】
薄型表示装置１１は、商品陳列棚とほぼ等しい水平方向の長さを有するポリマーネットワーク型液晶、マイクロカプセル電気泳動、フレキシブル有機ＥＬ等を用いた電子ペーパで、陳列した商品の価格、商品名、規格、バーコード、商品ＩＤ等を含む電子棚札と、商品の履歴遡及情報、販促情報、広告、生活情報等の任意の情報を、任意の位置に表示する。
【００１８】
図２は管理コンピュータ３のハードウエア構成の１例を示す図であって、管理コンピュータ３は、バス３５により相互接続された制御部２１、記憶装置２３、メディア入出力部２５、入力部２７、印刷部２９、表示部３１、通信部３３を有する。
【００１９】
制御部２１は、プログラムの実行を行うＣＰＵ(central processing unit)と、プログラム命令あるいはデータ等を格納するためのＲＯＭ(read only memory)、ＲＡＭ(random access memory)等のメモリから構成される。制御部２１は、管理コンピュータ３全体の動作を制御する。
【００２０】
メディア入出力部２５は、ＣＤ−ＲＯＭ(compact disc read only memory)あるいはＣＤ−ＲＷ(CD-ReWritable)、フレキシブルディスク、ＭＯ等の媒体のドライブで、媒体からのデータの読み出し、媒体へのデータの書き込みを行う。
【００２１】
入力部２７は、キーボード、マウス等の入力装置である。印刷部２９はプリンタで、ユーザからの要求により必要な情報等の印刷を行う。表示部３１は、ＣＲＴ(cathode-ray tube)あるいはＬＣＤ(liquid crystal display)等の表示装置である。
【００２２】
通信部３３は、アンテナ５を介して無線ＬＡＮにより携帯端末７及び薄型表示装置１１と通信する。
【００２３】
記憶装置２３は、管理コンピュータ３の動作に必要となるプログラム、データ等を保存している。図３は、管理コンピュータ３の記憶装置２３の詳細を示す図であって、記憶装置２３はＯＳ(Operating Systems)４１、棚札タイプ管理データ４７、陳列情報管理データ４９、商品情報管理データ５１、棚札表示指示データ５３、表示指示データ５５を有する。棚札タイプ管理データ作成機能４３は、棚札タイプ管理データ４７を作成するためのプログラムである。
【００２４】
棚札表示指示機能４５は、携帯端末７から商品改廃に関する情報を受信すると、図示しない業務管理システムが作成、更新する表示指示データ５５と棚札タイプ管理データ４７、商品情報管理データ５１を用いて、陳列情報管理データ４９を作成し、薄型表示装置１１に棚札の表示を指示するプログラムである。
【００２５】
図４は、携帯端末７のハードウエア構成の１例を示す図であって、携帯端末７は、バス７１により相互接続された制御部６１、記憶装置６３、入力部６５、表示部６７、通信部６９を有する。
【００２６】
制御部６１は、プログラムの実行を行うＣＰＵ(central processing unit)と、プログラム命令あるいはデータ等を格納するためのＲＯＭ(read only memory)、ＲＡＭ(random access memory)等のメモリから構成される。制御部６１は、携帯端末７全体の動作を制御する。
【００２７】
記憶装置６３は、携帯端末７の制御プログラム等の固定データ、画像データ等を格納するための記憶媒体である。
【００２８】
入力部６５は、商品コード、商品名、数量等を入力するためのテンキーやファンクションキー等のキーを配列したキーボードや、商品の入れ替えを指示するためのタッチパネル等の入力装置である。表示部３１は、ＬＣＤ(liquid crystal display)等の表示装置である。
【００２９】
通信部６９は、アンテナ９を介して無線ＬＡＮにより管理コンピュータ３及び薄型表示装置１１と通信する。
【００３０】
図５は、薄型表示装置１１のハードウエア構成の１例を示す図であって、薄型表示装置１１は、バス８９により相互接続された制御部８１、記憶装置８３、表示部８５、通信部８７を有する。
【００３１】
制御部８１は、プログラムの実行を行うＣＰＵ(central processing unit)と、プログラム命令あるいはデータ等を格納するためのＲＯＭ(read only memory)、ＲＡＭ(random access memory)等のメモリから構成される。制御部８１は、薄型表示装置１１全体の動作を制御する。
【００３２】
記憶装置８３は、薄型表示装置１１に表示する電子棚札、任意の情報の内容、表示位置等を格納する。
【００３３】
表示部８５は、商品名、価格、規格、バーコード、商品ＩＤ等を含む電子棚札と、商品の履歴遡及情報、販促情報、広告、生活情報等の任意の情報を表示する。
【００３４】
通信部８７は、アンテナ１３を介して無線ＬＡＮにより管理コンピュータ３及び携帯端末７と通信する。
【００３５】
図６は、薄型表示装置１１の外観構成を示す図であって、薄型表示装置１１は商品９１を陳列した商品陳列棚１５の棚前面に配置される。薄型表示装置１１は、商品陳列棚１５とほぼ等しい水平方向の長さを有し、陳列した商品９１に関する情報及び任意の情報を任意の位置に表示する。
【００３６】
図７は、薄型表示装置１１の表示例を示す図であって、薄型表示装置１１には陳列した商品９１の棚札９３−１、９３−２と、任意表示９５−１〜９５−４を表示する。
【００３７】
棚札９３−１は、商品名「クッキー詰め合わせ」、メーカー名「○○××」、バーコード、価格等を示している。任意表示９５−１は、棚札９３−１で表示されている商品がセール中であることを示す画像、任意表示９５−２は、棚札９３−１で表示されている商品の広告である。
【００３８】
棚札９３−２は、商品名「チョコなんでも箱」、メーカー名「○○××」、価格等を示している。任意表示９５−３は、棚札９３−２で表示されている商品が広告の品であることを示す画像である。任意表示９５−４は、２次元バーコードと、それに関する情報を示している。
任意表示として、例えば、「ＩＳＯ９００１を取得しました」、「○月×日は△△小学校の運動会」というような、商品と関係のない情報を表示することもできる。
【００３９】
薄型表示装置１１は、商品陳列棚１５とほぼ等しい水平方向の長さを有するようにしてもよいし、あるいは、複数の薄型表示装置１１を組み合わせて商品陳列棚１５とほぼ等しい水平方向の長さを有するようにし、陳列した商品９１に関する情報及び任意の情報を任意の位置に表示するようにしてもよい。
【００４０】
図８に示すように、３個の薄型表示装置１１−１ａ〜１１−３ａを並べて配置して、商品陳列棚１５とほぼ等しい水平方向の長さとなるようにし、３個の薄型表示装置１１−１ａ〜１１−３ａを一つの薄型表示装置１１ａとみなし、図７と同様に、棚札９３−１、９３−２、任意表示９５−１〜９５−４を表示することができる。
【００４１】
図９は、管理コンピュータ３の記憶装置２３の棚札タイプ管理データ４７の１例を示す図、図１０は、棚札タイプ管理データ４７のデータの１例を示す図、図１１は、棚札タイプＡ１の棚札の表示例を示す図、図１２は、棚札タイプＡ２の棚札の表示例を示す図、図１３は、商品情報管理データ５１の１例を示す図、図１４は、棚札表示指示データ５３の１例を示す図、図１５は、表示指示データ５５の一例を示す図、図１６は、陳列情報管理データ４９の一例を示す図、図１７は、表示指示データ５５のデータの１例を示す図である。
【００４２】
図９に示すように、棚札タイプ管理データ４７は薄型表示装置１１に棚札９３を自動表示させるため、棚札のフォーマット、書式等を定義し、棚札タイプ識別子ＩＤを付けて複数の棚札タイプを管理するためのデータで、棚札タイプＩＤ１０１、棚札呼称１０３、表示タイプ属性１０５、始点Ｘ座標１０７、始点Ｙ座標１０９、終点Ｘ座標１１１、終点Ｙ座標１１３、表示項目ａ  １１５−１、表示項目ｂ  １１５−２を有している。
【００４３】
棚札タイプＩＤ１０１は、棚札の棚札タイプ毎に一意的に付ける識別子で、例えば、電子棚札である商品表示はＡ１、Ａ２、Ａ３等、任意表示はＢ１、Ｂ２、Ｂ３等というように設定する。
【００４４】
棚札呼称１０３は棚札タイプの呼称で、例えば、「棚札大」、「棚札中」、「棚札小」、「広告１」、「広告２」というように設定する。
表示タイプ属性は、その棚札タイプが商品表示であるか、あるいは任意表示であるかを示す。
始点Ｘ座標１０７、始点Ｙ座標１０９、終点Ｘ座標１１１、終点Ｙ座標１１３は、その棚札タイプの表示始点、終点の座標を示す。
【００４５】
表示項目ａ  １１５−１、表示項目ｂ  １１５−２は、棚札タイプに表示する各表示項目の呼称、表示座標、書式等を示すもので、棚札上で表示する全ての表示項目毎にデータを設定する。
例えば、表示項目ａ  １１５−１は、図７の棚札９３−１の「クッキー詰め合わせ」の部分、表示項目ｂ  １１５−２は、図７の棚札９３−１の「○○××」の部分に相当する。
【００４６】
表示項目ａ  １１５−１、表示項目ｂ  １１５−２等の表示項目データは、項目呼称１１９、始点Ｘ座標１２１、始点Ｙ座標１２３、終点Ｘ座標１２５、終点Ｙ座標１２７、区分１２９、フォントタイプ１３１、フォントサイズ１３３、フォントカラー１３５、フォントボールド１３７、フォントイタリック１３９、フォントＵＬ(Under Line)１４１、フォント表示角度１４３、バーコード種類１４５、バーコード表示内容１４７、画像色１４９、画像属性１５１を有している。
【００４７】
項目呼称１１９は、表示項目の呼称で、例えば、「メーカー名」、「商品名」、「価格」、「バーコード」、「商品画像」というように設定する。
始点Ｘ座標１２１、始点Ｙ座標１２３、終点Ｘ座標１２５、終点Ｙ座標１２７は、その棚札タイプ上での表示項目の表示始点、終点座標を示す。
区分１２９は、表示項目がテキストであるか、あるいは画像であるかを示す。
【００４８】
フォントタイプ１３１、フォントサイズ１３３、フォントカラー１３５、フォントボールド１３７、フォントイタリック１３９、フォントＵＬ１４１、フォント表示角度１４３は、表示項目上のテキストのフォント属性を示す。区分１２９が画像である場合、フォント属性に関するデータはデータなしとなる。
【００４９】
バーコード種類１４５、バーコード表示内容１４７は、表示項目上のバーコードの属性を示すものである。バーコード種類１４５は、例えば、ＪＡＮ、ＮＷ７等のバーコード種類を設定する。バーコード表示内容１４７は、バーコードが表示している文字の内容を示す。
画像色１４９、画像属性１５１は、表示項目上の画像の属性を示す。区分１２９がテキストである場合、画像属性に関するデータはデータなしとなる。
【００５０】
図１０は、棚札タイプ管理データ４７の表示項目ａ  １１５−１、表示項目ｂ１１５−２、表示項目ｃ  １１５−３の、始点Ｘ座標１２１、始点Ｙ座標１２３、フォントタイプ１３１、フォントサイズ１３３、フォントボールド１３７、フォントイタリック１３９等のデータの１例を示している。
【００５１】
図１１に示すように、棚札タイプ管理データ４７の棚札タイプＩＤ１０１が「Ａ１」の棚札には、表示項目ａ  １１５−１で指定された始点Ｘ座標「１」、始点Ｙ座標「１」、フォントサイズ「１１」、フォント「ゴシックボールド」で、メーカー名「○×乳業」が表示される。また、表示項目ｂ  １１５−２で指定された始点Ｘ座標「１」、始点Ｙ座標「５」、フォントサイズ「１１」、フォント「ゴシックボールド」で、商品名「○○○○××５００ｍｌ」が、表示項目ｃ  １１５−３で指定された始点Ｘ座標「１」、始点Ｙ座標「１０」、フォントサイズ「８」、フォント「ゴシック」で、規格「１００ｍｌ当たり￥５９．６」が表示される。
【００５２】
図１２に示すように、棚札タイプ管理データ４７の棚札タイプＩＤ１０１が「Ａ２」の棚札には、表示項目ａ  １１５−１で指定された始点Ｘ座標「１」、始点Ｙ座標「１」、フォントサイズ「１１」、フォント「ゴシック」で、商品名「ＪＱＫ  ５００ｍｌ」が表示される。また、表示項目ｂ  １１５−２で指定された始点Ｘ座標「１」、始点Ｙ座標「５」、フォントサイズ「１１」、フォント「ゴシック」で、メーカー名「××○○」が、表示項目ｃ  １１５−３で指定された始点Ｘ座標「１」、始点Ｙ座標「１５」、フォントサイズ「３６」、フォント「英角ポップイタリック」で、価格「￥１２５」が表示される。
【００５３】
図１３に示すように、商品情報管理データ５１はＰＯＳシステムのような店舗で利用している電子棚札システム以外のシステムにより作成される商品毎のデータで、一般に商品マスタと呼ばれるものである。
商品情報管理データ５１は、商品コード１７９、ＪＡＮコード１８１、メーカー名１８３、商品名１８５、定番売価１８７、商品幅１８９、商品高さ１９１、商品奥行１９３、商品積１９５を有する。
【００５４】
商品コード１７９、ＪＡＮコード１８１は、商品陳列棚１５に陳列した商品９１を特定するための識別子である。
メーカー名１８３は、その商品のメーカー名、商品名１８５は、その商品の商品名、定番売価１８７は、その商品が通常売られている価格、商品幅１８９、商品高さ１９１、商品奥行１９３はその商品の幅、高さ、奥行である。商品積１９５は、その商品を積み重ねたときに二つの商品が重なる部分の長さを示す。
【００５５】
図１４に示すように、棚札表示指示データ５３は、商品９１を商品陳列棚１５に陳列した後、店員が携帯端末７に入力した商品９１の陳列情報をもとに、無線ＬＡＮを介して携帯端末７から管理コンピュータ３に送られる棚札の表示指示データである。
棚札表示指示データ５３は、商品コード１７９、ＪＡＮコード１８１、陳列向２０１、フェイス数２０３、陳列棚番号２０５、陳列段番号２０７、陳列列番号２０９、棚札タイプＩＤ１０１を有している。
【００５６】
棚表示指示データ５３と商品情報管理データ５１の商品コード１７９、ＪＡＮコード１８１はそれぞれ同等のものである。
陳列向２０１は、その商品の陳列向、フェイス数２０３は、その商品を横にいくつ並べたかを示す。
陳列棚番号２０５、陳列段番号２０７、陳列列番号２０９は棚割りＩＤを示すもので、陳列棚番号２０５は、店舗内で商品陳列棚１５を識別するための番号、陳列段番号２０７は、商品９１を陳列している商品陳列棚１５の段を識別するための番号、陳列列番号２０９は、陳列商品棚１５の段の中で商品９１を陳列している列を識別するための番号である。
棚札タイプＩＤ１０１は、陳列タイプ管理データ４７で定義した棚札タイプＩＤ１０１と同等のもので、その商品に関して表示する棚札の棚札タイプＩＤである。
【００５７】
図１５に示すように、表示指示データ５５は、商品９１を商品陳列棚１５に陳列した後、携帯端末７から管理コンピュータ３に送られる棚札表示指示データ５３、棚札タイプ管理データ４７、商品情報管理データ５１等を用いて、業務管理システムなどにより作成、保守されるもので、陳列棚番号２０５、陳列段番号２０７、陳列列番号２０９、棚札タイプＩＤ１０１、棚札表示開始座標２２１、棚表示終了座標２２３、表示領域幅２２５、表示項目内容ａ  ２２７−１、表示項目内容ｂ  ２２７−２等を有している。
【００５８】
陳列棚番号２０５は、その商品を陳列した陳列棚の番号、陳列段番号２０７は、
その商品を陳列した段の番号、陳列列番号２０９は、その商品を陳列した列の番号で、それぞれ、棚札表示指示データ５３の陳列棚番号２０５、陳列段番号２０７、陳列列番号２０９と同等である。
棚札タイプＩＤ１０１は陳列タイプ管理データ４７で定義した棚札タイプＩＤ１０１と同等のもので、その商品に関して表示する棚札の棚札タイプＩＤである。
棚表示開始座標２２１は、その商品に関して表示する棚札の薄型表示装置１１上での表示開始Ｘ座標で、棚札表示終了座標２２３は表示終了Ｘ座標である。表示領域幅２２５は、その商品に関して表示する棚札の表示領域の幅である。
【００５９】
表示項目内容ａ  ２２７−１、表示項目内容ｂ  ２２７−２は、棚札タイプＩＤ１０１に対応する棚札管理データ４７の表示項目ａ  １１５−１、表示項目ｂ  １１５−２として表示する文字、画像、バーコード等である。
例えば、表示項目内容ａ  ２２７−１は、図７の棚札９３−１の「クッキー詰め合わせ」という文字、表示項目内容ｂ  ２２７−２は、図７の棚札９３−１の「○○××」という文字に相当する。
【００６０】
図１６に示すように、陳列情報管理データ４９は商品陳列棚１５上の商品９１の陳列位置等に関する情報で、一般に陳列マスタあるいは棚割マスタと呼ばれるものである。
【００６１】
陳列情報管理データ４９は、陳列開始日１５３、陳列棚番号２０５、陳列段番号２０７、陳列列番号２０９、棚表示開始座標２２１、棚表示終了座標２２３、商品コード１７９、ＪＡＮコード１８１、陳列向２０１、商品幅１７１、フェイス数２０３、陳列幅１７５、ＰＬＤ(Paper Like Display)アドレス１７７、棚札タイプＩＤ１０１を有している。
【００６２】
陳列開始日１５３は、商品９１を商品陳列棚１５に陳列し始めた日である。
陳列棚番号２０５は、その商品を陳列した陳列棚の番号、陳列段番号２０７は、その商品を陳列した段の番号、陳列列番号２０９は、その商品を陳列した列の番号である。
【００６３】
棚表示開始座標２２１、棚表示終了座標２２３は、商品９１を陳列した商品陳列棚１５の段の前面に設置された薄型表示装置１１上で棚札を表示する座標で、Ｘ座標、Ｙ座標で表現される。
【００６４】
陳列情報管理データ４９と商品情報管理データ５１の商品コード１７９、ＪＡＮコード１８１はそれぞれ同等のものである。
【００６５】
陳列向２０１、商品幅１７１、フェイス数２０３、陳列幅１７５は、商品９１の陳列実施情報である。
陳列向２０１は、商品９１が陳列されている向きを示すもので、例えば、「正面」、「右横」というように設定される。
【００６６】
商品幅１７１は、商品９１が陳列向２０１に陳列されたときの商品幅で、陳列向２０１が「正面」の場合、商品幅１７１は商品９１の幅となる。陳列向２０１が「右横」の場合、商品幅１７１は商品９１の奥行となる。
フェイス数２０３は、商品９１を横にいくつ並べたかを示す。
陳列幅１７５は、商品９１を陳列向２０１にフェイス数２０３で陳列したときの全体の幅を示す。
棚札タイプＩＤ１０１は、陳列タイプ管理データ４７で定義した棚札タイプＩＤ１０１と同等のもので、その商品に関して表示する棚札の棚札タイプＩＤである。
【００６７】
図１７は、表示指示データ５５の陳列棚番号２０５、陳列段番号２０７、陳列列番号２０９、棚札タイプＩＤ１０１、棚札表示開始座標２２１、棚札表示終了座標２２３、表示領域幅２２５、表示項目内容ａ  ２２７−１、表示項目内容ｂ  ２２７−２のデータの１例を示している。
【００６８】
陳列棚番号がＡ１の陳列棚の段１、列１に陳列されている商品の棚札の棚札タイプＩＤはＡ１で、棚表示開始座標が１０、棚表示終了座標が６０の位置に表示領域幅が５０で、棚札タイプＩＤがＡ１の棚札タイプ管理データ４７に従って、表示項目として「○×乳業」、「○○○○××５００ｍｌ」、「１００ｍｌ当り￥７４．５」が表示される。
【００６９】
同様に、陳列棚番号がＡ１の陳列棚の段１、列２に陳列されている商品の棚札の棚札タイプＩＤはＡ１で、棚表示開始座標が７０、棚表示終了座標が１３０の位置に表示領域幅が６０で、棚札タイプＩＤがＡ１の棚札タイプ管理データ４７に従って、表示項目として「○×○×」、「ＸＹＺ」、「１００ｍｌ当り￥７０．５」が表示される。
【００７０】
陳列棚番号がＡ１の陳列棚の段１、列３に陳列されている商品の棚札の棚札タイプＩＤはＡ２で、棚表示開始座標が１４０、棚表示終了座標が２００の位置に表示領域幅が６０で、棚札タイプＩＤがＡ２の棚札タイプ管理データ４７に従って、表示項目として「ＪＱＫ５００ｍｌ」、「××○○」、「￥１２５」が表示される。
【００７１】
次に、図１８、１９、２０、２１、２２、２３を参照しながら、本発明に係る電子棚札システム１の動作を説明する。図１８は、棚札タイプ管理データ作成機能４３の画面の１例を示す図、図１９は、棚札表示指示機能４５の動作を示すフローチャート、図２０は、棚札９３の表示位置の１例を示す図、図２１、２２は、後続陳列商品の棚札９３の表示処理の１例を示す図、図２３は、任意表示の表示位置の１例を示す図である。
【００７２】
まず、棚札タイプ管理データ作成機能４３の動作について説明する。
管理コンピュータ３の制御部２１は、棚札タイプ管理データ作成機能４３に従って、商品陳列棚１５に陳列した商品９１の棚札９３を薄型表示装置１１上に自動表示させるための棚札タイプ管理データ４７を新規作成、変更、削除するプログラムで、管理コンピュータ３の表示部３１上に表示される画面から、棚札タイプの定義を行う。
【００７３】
管理コンピュータ３の制御部２１は、棚札タイプ管理データ作成機能４３に従って薄型表示装置１１上に表示する棚札９３、任意表示９５の表示内容を定義し、また、棚札９３及び任意表示９５に表示する任意のテキスト、バーコード、画像の内容を定義する。
【００７４】
図１８に示すように、管理コンピュータ３の表示部３１に表示される棚札タイプ管理データ作成機能４３の画面３００は、棚札タイプ管理データ４７の棚札タイプＩＤ１０１を入力する棚札タイプＩＤ３０１、棚札呼称１０３を入力する棚札呼称３０３、棚札の終点Ｘ座標１１１を入力する終点Ｘ座標３０５、終点Ｙ座標１１３を入力するＹ座標３０７、表示タイプ属性１０５を入力する表示タイプ属性３０９を有する。
【００７５】
棚札タイプＩＤ３０１は、キーボードのような入力部２７を用いて直接入力するようにしてもよいし、セレクトボックスを用いて選択するようにしてもよい。
表示タイプ属性３０９は、棚札表示か、あるいは任意表示かを指定するもので、マウスのような入力部２７を用いてチェックボックスをオンにした場合は棚札表示、オフにした場合は任意表示となる。
【００７６】
表示例３１１は、棚札タイプ管理データ作成機能画面３００内で入力したデータに従って棚札あるいは任意表示の表示例を示す。
表示例３１１は、メーカー名称を表す項目３１３、商品名称を表す項目３１５、広告を表す項目３１７、商品価格を表す３１９、その他の情報を表す項目３２１、規格を表す項目３２３、バーコードを表す３２５を有している。
表示項目ａ  ３１３の項目名称、表示座標、区分、フォント属性、バーコード属性、画像属性等のデータは項目ａ  ３２７で、表示項目ｂ  ３１５のデータは項目ｂ  ３２９で入力する。
【００７７】
管理コンピュータ３の制御部２１は、棚札タイプ管理作成機能画面３００で新規作成、変更された棚札タイプ管理データ４７を記憶装置２３に保存する。
【００７８】
次に、棚札表示指示機能４５の動作について説明する。
管理コンピュータ３の制御部２１は、棚札表示指示機能４５に従って、店舗内の商品陳列棚１５に陳列した商品の位置を入力することにより、商品を陳列した商品陳列棚１５に設置された薄型表示装置１１上に棚札９３を自動的に表示し、また、薄型表示装置１１の指定された位置に任意表示９５を表示する。
【００７９】
店舗内で、店員が携帯端末７に陳列した商品の情報を入力すると、管理コンピュータ３の制御部２１は、他の業務管理システムなどにより作成、保守される表示指示データ５５、棚札タイプ管理データ４７、商品情報管理データ５１を用いて陳列情報管理データ４９を作成、更新し、薄型表示装置１１に棚札９３、任意表示９５を表示する。
【００８０】
図１９に示すように、店員が商品改廃作業を行う場合、携帯端末７のタッチパネル、キーボード等の入力部６５を介して入力した陳列商品９１の情報を棚札表示指示データ５３に変換し、無線ＬＡＮを介して管理コンピュータ３に送ると、管理コンピュータ３の制御部２１は送られた棚札表示指示データ５３を用いて表示指示データ５５を作成する（ステップ４０１）。
【００８１】
管理コンピュータ３の制御部２１は、表示指示データ５５の棚札タイプＩＤ１０１が棚札表示かどうか判定する（ステップ４０２）。棚札表示ならば、商品コード１７９に対応する商品情報管理データ５１を記憶装置２３から読み出し、表示指示データ５５の陳列向２０１、フェイス数２０３と、商品情報管理データ５１の商品幅１８９あるいは商品奥行１９３を用いて陳列幅を計算し、陳列情報管理データ４９の陳列幅１７５に設定する（ステップ４０３）。
【００８２】
表示指示データ５５の表示領域幅２２５を読み出し（ステップ４０４）、表示領域幅２２５が陳列幅１７５よりも小さいかどうか判定する（ステップ４０５）。表示領域幅２２５が陳列幅１７５よりも大きい場合、携帯端末７の表示部６７に入力エラーを表示し、エラー処理を行う（ステップ４０６）。
【００８３】
表示領域幅２２５が陳列幅１７５よりも小さい場合、商品改廃作業により、棚札表示指示をした陳列商品９１の位置より後続に陳列された商品の位置が変更されるかどうかを判定する（ステップ４０７）。
例えば、図２１に示すように商品陳列棚１５に商品９１−１〜９１−５が陳列されている状態で、商品幅が７ｃｍの商品Ｃ９１−３を、図２２に示すように商品幅６ｃｍの商品Ｘ９１−３と置き換えて陳列する場合、棚札表示指示をした陳列商品９１−３の後続に陳列された商品９１−４、９１−５の位置は、１ｃｍ左方向に変更される。
これに伴って、商品９１−４、９１−５の棚札９３−４、９３−５の位置も１ｃｍ左方向に変更する必要がある。
【００８４】
後続陳列商品の位置が変更される場合、薄型表示装置１１の制御部８１は、薄型表示装置１１の棚札表示指示した陳列位置以降の全ての表示情報をクリアし（ステップ４０８）、棚札表示した商品の棚札９３を表示して、陳列情報管理データ４９の棚表示開始座標２２１、棚表示終了座標２２３を更新する（ステップ４０９）。
【００８５】
棚札９３は、対応する商品９１の陳列位置の中央に表示する。図２０に示すように、陳列棚１５に商品９１−１〜９１−４を表示する場合、フェイス数３の商品Ｘ９１−３の棚札９３−３は、商品Ｘ９１−３を３個並べた幅の中央に棚札９３−３の中央がくるように表示する。
例えば、商品Ｘ９１−３の幅が８ｃｍのとき、フェイス数３の商品Ｘ９１−３の陳列幅は２４０ｍｍとなる。棚札９３−３の表示領域幅が７０ｍｍのとき、棚札９３−３の棚札表示開始座標は、商品Ｘ９１−３の陳列開始位置から１２０ｍｍの位置となる。
【００８６】
管理コンピュータ３の制御部２１は、本発明の範囲外の業務管理システムなどにより、全後続陳列商品９１の表示位置をずらした表示指示データ５５を作成する（ステップ４１０）。
【００８７】
薄型表示装置１１の制御部８１は、表示指示データ５５に従って後続陳列商品９１の棚札９３の位置を変更して表示し、管理コンピュータ３の制御部２１は陳列情報管理データ４９の棚表示開始座標２２１、棚表示終了座標２２３を更新する（ステップ４１１）。全ての後続陳列商品９１の棚札９３の表示を変更したかどうか判定し（ステップ４１２）、まだならばステップ４１１に戻る。全ての後続陳列商品９１の棚札表示位置変更が終了したら、処理を終了する。
【００８８】
ステップ４０７で、後続陳列商品の位置が変更されない場合、薄型表示装置１１の制御部８１は、表示部８５の棚札表示指示した商品９１の陳列位置部分の表示情報をクリアし（ステップ４１３）、棚札表示した商品９１の棚札９３を表示部８１に表示する。管理コンピュータ３の制御部２１は、陳列情報管理データ４９を更新して（ステップ４１４）、処理を終了する。
【００８９】
ステップ４０２で、棚札表示指示データ５３の棚札タイプＩＤ１０１が任意表示の場合、管理コンピュータ３の制御部２１は、陳列棚番号２０５に対応する全ての陳列情報管理データ４９を管理コンピュータ３の記憶装置２３から読み出す（ステップ４１５）。
【００９０】
管理コンピュータ３の制御部２１は、棚札表示指示した任意表示の内容が薄型表示装置１１の表示可能領域にあるかどうか判定する（ステップ４１６）。
表示指示された座標から任意表示の表示領域幅分、表示領域が確保されているかを判定し、棚札表示領域と任意表示領域に重複部分がない場合、表示指示通りに任意表示を表示することができる。
【００９１】
図２３に示すように、薄型表示装置１１上では２００〜３５０ｍｍの位置に棚札９３−１が、６００〜７７５ｍｍの位置の棚札９３−２が、９５０〜１１００ｍｍの位置に棚札９３−３が表示されている。
この場合、任意表示内容の表示可能領域は０〜２００ｍｍ、３５０〜６００ｍｍ、７７５〜９５０ｍｍ、１１００ｍｍ〜の位置となる。
【００９２】
任意表示指示された表示領域幅が１００ｍｍで、表示指示位置が４００ｍｍの場合、棚札９３−１と棚札９３−２との間の表示可能領域に表示指示位置４００ｍｍがあり、また、表示指示位置４００ｍｍから表示領域幅１００ｍｍで任意表示を表示しても棚札９３−２と重複しないため、表示指示通り任意表示を表示する。
【００９３】
任意表示指示された表示領域幅が１００ｍｍで、表示指示位置が３００ｍｍの場合、棚札９３−１の表示領域幅内に表示指示位置３００ｍｍがあるため、表示指示位置を右方向にずらして３５０ｍｍとする。また、修正した表示指示位置３５０ｍｍから表示領域幅１００ｍｍで任意表示を表示しても棚札９３−２と重複しないため、修正した表示位置で任意表示を表示する。
【００９４】
任意表示指示された表示領域幅が１００ｍｍで、表示指示位置が５５０ｍｍの場合、棚札９３−１と棚札９３−２との間の表示可能領域に表示指示位置５５０ｍｍがあるが、表示指示位置５５０ｍｍから表示領域幅１００ｍｍで任意表示を表示すると棚札９３−２と重複するため、表示指示位置を左方向にずらして５００ｍｍとし、棚札９３−２と重複しないようにすることで、この任意表示を表示する。
【００９５】
任意表示指示された表示領域幅が３００ｍｍで、表示指示位置が４００ｍｍの場合、棚札９３−１と棚札９３−２との間の表示可能領域に表示指示位置４０００ｍｍがあるが、表示指示位置４００ｍｍから表示領域幅３００ｍｍで任意表示を表示すると棚札９３−２と重複する。また、表示指示位置を左方向にずらして修正表示指示位置を棚札９３−１の表示終了位置である３５０ｍｍとしても、表示領域幅３００ｍｍで任意表示を表示すると棚札９３−２と重複するため、この任意表示の表示指示はエラーとなる。
【００９６】
棚札表示指示した任意表示内容が修正処理も含めて表示可能領域にある場合、任意表示内容を表示指示位置に表示し（ステップ４１８）、処理を終了する。任意表示内容が表示可能にない場合、携帯端末７の表示部６７に入力エラーを表示し、エラー処理を行う（ステップ４１７）。
【００９７】
以上、説明したように本実施によれば、商品陳列棚の各段に、商品陳列棚とほぼ等しい水平方向の長さを有する薄型表示装置を設置し、任意の位置に商品名、商品価格等の商品に関する情報を表示する電子棚札システムを提供することができる。
【００９８】
以上、添付図面を参照しながら本発明に係る電子棚札システムの好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
【００９９】
例えば、前述した実施形態では表示指示データは他の業務管理システムが生成するとしたが、管理コンピュータが表示指示データを作成してもよい。
【図面の簡単な説明】
【０１００】
【図１】電子棚札システム１の実施方法を示した説明図である。（実施例１）
【図２】管理コンピュータ３のハードウエア構成の１例を示す図である。
【図３】管理コンピュータ３の記憶装置２３の詳細を示す図である。
【図４】携帯端末７のハードウエア構成の１例を示す図である。
【図５】薄型表示装置１１のハードウエア構成の１例を示す図である。
【図６】薄型表示装置１１の外観構成を示す図である。
【図７】薄型表示装置１１の表示例を示す図である。
【図８】複数の薄型表示装置１１を用いた表示例を示す図である。
【図９】管理コンピュータ３の記憶装置２３の棚札タイプ管理データ４７の１例を示す図である。
【図１０】棚札タイプ管理データ４７のデータの１例を示す図である。
【図１１】棚札タイプＡ１の棚札の表示例を示す図である。
【図１２】棚札タイプＡ２の棚札の表示例を示す図である。
【図１３】商品情報管理データ５１の１例を示す図である。
【図１４】棚札表示指示データ５３の１例を示す図である。
【図１５】表示指示データ５５の一例を示す図である。
【図１６】陳列情報管理データ４９の一例を示す図である。
【図１７】表示指示データ５５のデータの１例を示す図である
【図１８】棚札タイプ管理データ作成機能４３の画面の１例を示す図である。
【図１９】棚札表示指示機能４５の動作を示すフローチャートである。
【図２０】棚札９３の表示位置の１例を示す図である。
【図２１】後続陳列商品の棚札９３の表示処理の１例を示す図である。
【図２２】後続陳列商品の棚札９３の表示処理の１例を示す図である。
【図２３】任意表示の表示位置の１例を示す図である。
【符号の説明】
【０１０１】
１………電子棚札システム
３………管理コンピュータ
５………アンテナ
７………携帯端末
９………アンテナ
１１………薄型表示装置
１３………アンテナ
１５………商品陳列棚
【図１】
2005099888.tif 000003
【図２】
2005099888.tif 000004
【図３】
2005099888.tif 000005
【図４】
2005099888.tif 000006
【図５】
2005099888.tif 000007
【図６】
2005099888.tif 000008
【図７】
2005099888.tif 000009
【図８】
2005099888.tif 000010
【図９】
2005099888.tif 000011
【図１０】
2005099888.tif 000012
【図１１】
2005099888.tif 000013
【図１２】
2005099888.tif 000014
【図１３】
2005099888.tif 000015
【図１４】
2005099888.tif 000016
【図１５】
2005099888.tif 000017
【図１６】
2005099888.tif 000018
【図１７】
2005099888.tif 000019
【図１８】
2005099888.tif 000020
【図１９】
2005099888.tif 000021
【図２０】
2005099888.tif 000022
【図２１】
2005099888.tif 000023
【図２２】
2005099888.tif 000024
【図２３】
2005099888.tif 000025